(57)【要約】      （修正有）【課題】立体感、浮遊感を演出することでインパクトのある人物画像の表現を可能とする立体画像額縁を提供する。【解決手段】所定高さの枠体１２で構成された上端開口状の額縁本体１１と、この枠体１２内に配置された任意高さの支持部と、この支持部上に配置された枠体１２の高さ未満の画像表示板部５とを備える。【選択図】図１
2013158480.tif 000002
【特許請求の範囲】
【請求項１】
所定高さの枠体で構成された上端開口状の額縁本体と、
前記枠体内に配置された任意高さの支持部と、
該支持部上に配置された前記枠体の高さ未満の画像表示板部とを備える
立体画像額縁。
【請求項２】
前記画像表示板部に、人物画像が表示された
請求項１に記載の立体画像額縁。
【請求項３】
前記画像表示板部が、人物画像形状に形成された
請求項２に記載の立体画像額縁。
【請求項４】
前記人物画像の顔の、体に対する割合が通常より大きく形成された
請求項２または請求項３に記載の立体画像額縁。
【請求項５】
前記画像表示板部の少なくとも一部に、振り子機能が設けられた
請求項３または請求項４に記載の立体画像額縁。
【請求項６】
前記枠体内に時計が配置された
請求項１、請求項２、請求項３、請求項４または請求項５に記載の立体画像額縁。
【請求項７】
前記枠体内に、背景画像が形成された
請求項１、請求項２、請求項３、請求項４、請求項５または請求項６に記載の立体画像額縁。
【請求項８】
前記画像表示板部が、紙面で挟装された発泡スチロール板から形成された
請求項１、請求項２、請求項３、請求項４、請求項５、請求項６または請求項７に記載の立体画像
【請求項９】
前記額縁本体の開口した上端を閉塞する透明板を備える
請求項１、請求項２、請求項３、請求項４、請求項５、請求項６、請求項７または請求項８に記載の立体画像額縁。
【発明の詳細な説明】
【技術分野】
【０００１】
本発明は、立体画像入りの立体画像額縁に関する。詳しくは、立体感、浮遊感をもたせた画像が表示された立体画像額縁に係るものである。
【背景技術】
【０００２】
従来、この種の額縁として、例えば特許文献１に記載されたものが知られている。
具体的には、図１４に示すように、支持板１０１と、第３のフレーム用枠体部１０２と第２のフレーム枠体部１０３とからなるフレーム用枠体１０４が設けられている。
【０００３】
また、第２のフレーム用枠体部１０３の内周面は第１のフレーム用枠体部１０５内周面より内方に位置し、中央写真画像１０６とフレーム用写真画像よりも深位置に位置させた構成とされている。
【０００４】
このような構成とすることにより、額縁の写真前方から光を当てた場合に、第１のフレーム用枠体部１０５の内周部の下方の支持板１０１上に第１のフレーム用枠体部１０５の内周部の陰影が形成される。
【先行技術文献】
【特許文献】
【０００５】
【特許文献１】実用新案登録第３１７１５９９号公報
【発明の概要】
【発明が解決しようとする課題】
【０００６】
しかしながら、特許文献１の発明では、例えば人物写真では背景と人物とが平面的な画像として表されるために、立体感を出すことが難しいことがある。
【０００７】
また、七五三、入学祝、卒業祝、あるいは成人式等のように人物画像が中心となる場合には、平面的な画像では人物画像のインパクト不足となることがある。
【０００８】
本発明は、以上の点に鑑みて創案されたものであって、立体感、浮遊感を演出することでインパクトのある人物画像の表現を可能とする立体画像額縁を提供することを目的とするものである。
【課題を解決するための手段】
【０００９】
上記の目的を達成するために、本発明に係る立体画像額縁は、所定高さの枠体で構成された上端開口状の額縁本体と、前記枠体内に配置された任意高さの支持部と、該支持部上に配置された前記枠体の高さ未満の画像表示板部とを備える。
【００１０】
ここで、所定高さの枠体で構成された上端開口状の額縁本体によって、奥行きのある画像を収納することが可能となる。
【００１１】
また、枠体内に配置された任意高さの支持部と、支持部上に配置された枠体の高さ未満の画像表示板部とを備えることによって、例えば、個々の画像表示板部を高さの異なる支持部で配置することで立体感、あるいは浮遊感を演出することが可能となる。
【００１２】
また、画像表示板部に、人物画像が表示された場合には、例えば、七五三、入学祝、卒業祝、あるいは成人式等の人物を、インパクト、かつ立体感を持って演出することが可能となる。
【００１３】
また、画像表示板部が、人物画像形状に形成された場合には、実体的な人物画像を演出することが可能となる。
【００１４】
また、人物画像の顔の、体に対する割合が通常より大きく形成された場合には、顔が強調され、インパクトのある立体画像の作成が可能となる。
【００１５】
また、画像表示板部の少なくとも一部に、振り子機能が設けられた場合には、例えば、対象者の顔を振ることで、インパクトをより増すことが可能となる。
【００１６】
また、枠体内に時計が配置された場合には、鑑賞すると共に、時計として実用的に活用することが可能となる。
【００１７】
また、枠体内に、背景画像が形成された場合には、例えば、建物等の背景画像上に人物画像の画像表示板部を配置することで背景画像とのコントラストを鮮明にすることが可能となる。
【００１８】
また、画像表示板部が紙面で挟装された発泡スチロール板から形成された場合には、例えば、カッター等で容易に任意の形状に切断することができると共に、立体画像額縁全体の重量を軽減することが可能となる。
【００１９】
また、額縁本体の開口した上端を閉塞する透明板を備える場合には、立体的に配置する画像を保護することが可能となる。
【発明の効果】
【００２０】
本発明の立体画像額縁によれば、画像に立体感、浮遊感を演出することでインパクトのある画像の表現を可能とすることができる。
【図面の簡単な説明】
【００２１】
【図１】本発明を適用した立体画像額縁の一例を説明するための立体模式図である。
【図２】本発明を適用した立体画像額縁における画像表示板部の一例を説明するための立体模式図である。
【図３】図２Ａ−Ａ´線における断面図を説明するための断面模式図である。
【図４】図２Ｂ−Ｂ´線における断面図を説明するための断面模式図である。
【図５】本発明を適用した立体画像額縁における額縁本体の一例を説明するための要部拡大模式図である。
【図６】本発明を適用した立体画像額縁における額縁本体の一例を説明するための断面模式図である。
【図７】本発明を適用した立体画像額縁の他の例を説明するための立体模式図である。
【図８】本発明を適用した立体画像額縁における立体画像部の他の例を説明するための立体模式図である。
【図９】図８Ａ−Ａ´線における断面図を説明するための断面模式図である。
【図１０】本発明を適用した立体画像額縁の更に他の例を説明するための立体模式図である。
【図１１】本発明を適用した立体画像額縁における立体画像部の更に他の例を説明するための立体模式図である。
【図１２】図１１Ａ−Ａ´線における断面図を説明するための断面模式図である。
【図１３】図１１Ｂ−Ｂ´線における断面図を説明するための断面模式図である。
【図１４】従来の写真画像額縁の一例を説明するための模式図である。
【発明を実施するための形態】
【００２２】
以下、本発明の実施の形態を図面を参酌しながら説明し、本発明の理解に供する。
【００２３】
＜第１の実施の形態＞
図１は本発明を適用した立体画像額縁の一例を説明するための立体模式図、図２は本発明を適用した立体画像額縁における画像表示板部の一例を説明するための立体模式図、図３は図２Ａ−Ａ´線における断面図を説明するための断面模式図、図４は図２Ｂ−Ｂ´線における断面図を説明するための断面模式図である。
【００２４】
ここで示す立体画像額縁３０は、上端が開口状とされた枠体１２で形成される額縁本体１１内に立体画像部１が収納されると共に、この額縁本体１１の開口縁が透明板１６で閉塞された構成とされている。
【００２５】
ここで立体画像部１は、基板部２と、この基板部２上に背景画像として配置された背景画像表示板部３と、この背景画像表示板部３、あるいは基板部２上に配置された支持部４に設置された画像表示板部５から構成されている。
【００２６】
また、基板部２は、額縁本体１１の内面積に相当する大きさとし、紙と紙との間に発泡スチロールを挟んだ構成とされている。
【００２７】
また、背景画像表示板部３は、基板部２と同様に、紙と紙との間に発泡スチロールを挟んだボードに、建物等の背景となる部分を写真用紙で印刷して貼着された構成とされている。
【００２８】
また、支持部４は板状の発泡スチロールを積層して任意高さとし、基板部２、あるいは背景画像表示板部３上に配置された構成とされている。
【００２９】
また、画像表示板部５は、例えば人物の顔となる部分を写真用紙で印刷した顔表示部６と体となる部分を印刷した体表示部７とから構成されている。
【００３０】
ここで、顔表示部６は体表示部７の大きさに比べて大きな割合（通常よりも４〜５倍）に形成されている。この様な組み合せとした２人の人物画像の画像表示板部５が背景画像表示板部３の両側に配置されている。
【００３１】
また、体表示部７は背景画像表示板部３に立設される支持部４上に、背景画像を背にして立った状態（手前側）で取付けられている。
【００３２】
更に、顔表示部６が体表示部７の前側の位置となるように、体表示部７が取付けられる支持部４よりも高くした支持部４上に取付けられている。
【００３３】
このように、顔表示部６を大きな割合とすると共に、体表示部７の前側の位置とすることで顔画像を強調することが可能となる。
【００３４】
また、２人の人物画像の画像表示板部５の間の上部（奥側）の背景画像表示板部３以外の領域である基板部２上には、顔表示部６が取付けられる支持部４と略同高さとした支持部４が配置されている。
【００３５】
更に、この支持部４上に、例えば「Ｗｅｌｃｏｍｅ」等の文字が表示された文字表示部８が取付けられている。
【００３６】
また、文字表示部８の下側（手前側）には、文字表示部８が取付けられる支持部４よりも低くした支持部４が配置され、この支持部４上に日付が表示された日付表示部９が取付けられている。
【００３７】
このように、文字表示部８及び日付表示部９を画像表示板部５の奥側、かつ背景画像表示板部３以外の領域に配置することで、立体感を演出することが可能となる。
【００３８】
また、背景画像表示板部３上の下側（手前側）には、体表示部７が取付けられる支持部４よりも低くした支持部４上に、名前が表示された名前表示部１０が取付けられている。
【００３９】
また、図５は本発明を適用した立体画像額縁における額縁本体の一例を説明するための要部拡大模式図、図６は本発明を適用した立体画像額縁における額縁本体の一例を説明するための断面模式図である。
【００４０】
ここで額縁本体１１は、立体画像部１の最大高さとされる画像表示板部５及び文字表示部８の高さ以上とされる枠体１２内に裏板１３及び厚み調整板１４が配置されている。更に、枠体１２は、その上端が内側方向に突出した透明板係留部１７が形成されている。
【００４１】
また、枠体１２の内側面に沿って透明板支持部１５が配置され、この透明板支持部１５でガラス等の透明板１６が枠体１２の開口端に取付けられた構成とされている。
【００４２】
このような構成の額縁本体１１内に、立体画像部１を収納する場合に、立体画像部１の高さに応じて裏板１３上に厚み調整板１４を載せる。
【００４３】
そして、厚み調整板１４の各辺に沿って透明板支持部１５を枠体１２の内側面１８に密接するようにして配置し、この透明板支持部１５内の厚み調整板１４上に立体画像部１を収納する。
【００４４】
この様にして枠体１２内に立体画像部１を収納した後に、透明板１６を透明板支持部１５上端と枠体１２の透明板係留部１７との間で挟むようにして取り付ける。
【００４５】
次に、立体画像部の作業手順を以下に詳述する。
ここで、例えば、結婚での記念ボードを作製する場合には、依頼者に予め用意された「新朗用の体」、「新婦用の体」、「背景」及び「文字の書体」を選定してもらう（手順１）。
【００４６】
そして、手順１で選定した「新朗用の体」、「新婦用の体」及び「背景」を写真用紙に印刷し、スプレーのりを使用してボード（紙と紙との間に発泡スチロールを挟んだ）に貼る（手順２）。
【００４７】
なお、手順１で選んだ「背景」にポイントとなる特徴的な建築物、例えば沖縄では首里城や守礼の門などがある場合には、建築物を浮き上がらせて見せるための部分が必要となる。そこで、「背景」とは別に浮き上がらせる部分を写真用紙に印刷し、スプレーのりを使用してボード（紙と紙との間に発泡スチロールを挟んだ）に貼る。
【００４８】
また、依頼者の顔写真を、グラフィックソフト等を使用して拡大し、写真用紙に印刷する。そして、スプレーのりを使用してボード（紙と紙との間に発泡スチロールを挟んだ）に貼る（手順３）。
【００４９】
このようにすることで、「新朗用の体」及び「新婦用の体」の大きさに対して、「新朗の顔」及び「新婦の顔」の大きさの割合が極端に大きくなる。
【００５０】
次に、「結婚式の日付」及び「２人の名前」を、グラフィックソフト等を使用して手順１で選定した書体、色彩による文字を製作する。そして、写真用紙に印刷し、スプレーのりを使用してボード（紙と紙との間に発泡スチロールを挟んだ）に貼る（手順４）。
【００５１】
このようにして、手順２〜手順４で作成した「新朗用の体」、「新婦用の体」、「新朗の顔」、「新婦の顔」「背景」、「文字」、「結婚式の日付」及び「２人の名前」が貼られたボードを、カッターを使用してそれぞれの輪郭に沿って切断する（手順５）。
【００５２】
これにより、背景画像表示板部、顔表示部、体表示部、文字表示部、日付表示部及び名前表示部が作成される。
【００５３】
更に、手順５において切断したボードの縁を黒ペン、あるいはスプレータイプの黒く塗る（手順６）。このようにすることで、輪郭がハッキリして立体感をより強調することができる。
【００５４】
ここで、手順２〜手順５で作成した背景画像表示板部、顔表示部、体表示部、文字表示部、日付表示部及び名前表示部を両面テープや接着剤等を使用して額縁本体内に収まるようにして組み立てる。
【００５５】
具体的には、前記図２〜図４において示すように、基板部２に背景画像表示板部３を貼り付け、顔表示部６及び体表示部７は任意高さの支持部４に貼り付けて画像表示板部５を形成する。
【００５６】
同様にして、文字表示部８、日付表示部９及び名前表示部１０を任意高さの支持部４に貼り付ける。
【００５７】
以上の構成の立体画像額縁では、背景画像の手前側に体表示部と顔表示部から構成される画像表示板部を配置し、更に、顔表示部を体表示部より手前側に配置する。これにより、奥行き感を出すことができ、例えば、あたかも建物等の前に立っているような立体感、浮遊感を演出することが可能となる。
【００５８】
また、本発明では背景画像、顔画像及び体画像、文字画像等がそれぞれ独立している。これにより、例えば、背景画像や文字画像、あるいはいろいろな衣裳を纏った体画像を多数揃えておくことで、依頼者は自由に背景画像、体画像及び文字画像等を選択することが可能となる。
【００５９】
従って、依頼者は顔写真を提供することで、実際に建物等の背景を背に写真を取ることがなく、さまざまな風景や建物等の背景、あるいは衣裳を纏った個性のある立体画像を演出することが可能となる。
【００６０】
また、顔画像を通常の顔の大きさよりも大きくすることでインパクトのある立体画像の作成が可能となる。
【００６１】
なお、本実施例では、背景画像を設けた構成を詳述するものであるが、必ずしも背景画像を設ける必要性は無い。
【００６２】
例えば、人物画像及び文字画像のみであっても構わないが、背景画像を設けることで、より立体感及び浮遊感を出すことができるために背景画像を設けることが望ましい。
【００６３】
更に、本実施例では、背景画像として背景画像表示板部を枠体内に配置するものであるが、必ずしも背景画像表示板部とする必要性は無い。
【００６４】
例えば、枠体内の裏板上に背景画像が印刷された画像紙を貼ったものであっても構わないが、立体感を持たせるために背景画像表示板部を用いることが望ましい。
【００６５】
また、本実施例では、人物画像を体表示部と顔表示部とを分けて配置するものであるが、必ずしも体表示部と顔表示部とを分けて配置する必要性は無い。
【００６６】
例えば、顔画像と体画像が一体とした人物画像であっても構わないが、顔と体を分けることでいろいろな衣裳を纏った体画像を選択することができ、個性のある人物画像を演出することができるために顔画像と体画像を分けることが望ましい。
【００６７】
更に、本実施例では、顔画像を、体画像に対して大きな割合とするものであるが、必ずしも体画像に対して大きな割合とする必要性は無い。
【００６８】
例えば、通常の割合であっても構わないが、顔画像を通常の顔の大きさよりも大きくすることでインパクトのある人物画像を表現することができるという点で顔画像を、体画像に対して大きな割合とすることが望ましい。
【００６９】
＜第２の実施の形態＞
図７は本発明を適用した立体画像額縁の他の例を説明するための立体模式図、図８は本発明を適用した立体画像額縁における立体画像部の他の例を説明するための立体模式図、図９は図８Ａ−Ａ´線における断面図を説明するための断面模式図である。
【００７０】
ここで示す立体画像額縁３０Ａは、上端が開口状とされた枠体１２で形成される額縁本体１１内に立体画像部１Ａが収納されると共に、この額縁本体１１の開口縁が透明板１６で閉塞された構成とされている。
【００７１】
ここで立体画像部１Ａは、基板部２と、この基板部２上に背景画像として配置された背景画像表示板部３と、この背景画像表示板部３、あるいは基板部２上に配置された支持部４上に設置された画像表示板部５Ａから構成されている。
【００７２】
また、基板部２は、額縁本体１１の内面積に相当する大きさとし、紙と紙との間に発泡スチロールを挟んだ構成とされている。
【００７３】
また、背景画像表示板部３は、基板部２と同様に、紙と紙との間に発泡スチロールを挟んだボードに、建物等の背景となる部分を写真用紙で印刷して貼着された構成とされている。
【００７４】
また、支持部４は板状の発泡スチロールを積層して任意高さとし、基板部２、あるいは背景画像表示板部３上に配置された構成とされている。
【００７５】
また、画像表示板部５Ａは、例えば人物の顔となる部分を写真用紙で印刷した顔表示部６と体となる部分を印刷した体表示部７とから構成されている。
【００７６】
ここで、顔表示部６は体表示部７の大きさに比べて大きな割合（通常よりも４〜５倍）に形成されている。この様な組み合せとした２人の人物画像の画像表示板部５Ａが背景画像表示板部３の両側に配置されている。
【００７７】
また、体表示部６は背景画像表示板部３に立設される支持部４上に、背景画像を背にして立った状態（手前側）で取付けられている。
【００７８】
そして、体表示部７に、顔表示部６が体表示部７の前側の位置となり、かつ体表示部７よりも高くなるように振り子装置２０に取付けられている。
【００７９】
この振り子装置２０は、電動モータ（図示せず。）が内蔵され、家庭電源、電池、あるいは太陽電池（図示せず。）等の電源で正逆回転する首振り板２１が設けられ、この首振り板２１上に顔表示部６が貼り付けられた構成とされている。
【００８０】
このように、顔表示部６を大きな割合とすると共に、体表示部７の前側の位置とし、更に顔表示部６が振り子装置２０で左右に振れることで顔画像を強調することが可能となる。
【００８１】
また、２人の人物画像の画像表示板部５Ａの間の上部（奥側）の背景画像表示板部３以外の領域である基板部２上には、顔表示部６が取付けられる支持部４と略同高さとした支持部４が配置されている。
【００８２】
更に、この支持部４上に、例えば「Ｗｅｌｃｏｍｅ」等の文字が表示された文字表示部８が取付けられている。
【００８３】
また、文字表示部８の下側（手前側）には、文字表示部８が取付けられる支持部４よりも低くした支持部４が配置され、この支持部４上に日付が表示された日付表示部９が取付けられている。
【００８４】
このように、文字表示部８及び日付表示部９を画像表示板部５Ａの奥側、かつ背景画像表示板部３以外の領域に配置することで、立体感を演出することが可能となる。
【００８５】
また、背景画像表示板部３上の下側（手前側）には、体表示部７が取付けられる支持部４よりも低くした支持部４上に、名前が表示された名前表示部１０が取付けられている。
【００８６】
このような構成とされる立体画像部１Ａは、図７に示すように、額縁本体１１内に収納される。
【００８７】
また、額縁本体１１は、前記第１の実施の形態の図５及び図６において詳述した構成とされている。
【００８８】
また、立体画像部の作業手順は、前記＜第１の実施の形態＞で詳述したように、手順２〜手順５で作成した背景画像表示板部、顔表示部、体表示部、文字表示部、日付表示部及び名前表示部を両面テープや接着剤等を使用して額縁本体内に収まるようにして組み立てる。
【００８９】
以上の構成の立体画像額縁では、背景画像の手前側に体表示部と顔表示部から構成される画像表示板部を配置し、更に、顔表示部を体表示部より手前側に配置する。これにより、奥行き感を出すことができ、例えば、あたかも建物等の前に立っているような立体感、浮遊感を演出することが可能となる。
【００９０】
また、本発明では背景画像、顔画像及び体画像、文字画像等がそれぞれ独立している。これにより、例えば、背景画像や文字画像、あるいはいろいろな衣裳を纏った体画像を多数揃えておくことで、依頼者は自由に背景画像、体画像及び文字画像等を選択することが可能となる。
【００９１】
従って、依頼者は顔写真を提供することで、実際に建物等の背景を背に写真を取ることがなく、さまざまな風景や建物等の背景、あるいは衣裳を纏った個性のある立体画像を演出することが可能となる。
【００９２】
更に、振り子装置を設けることで、対象者の顔を振るという動作が可能になり、より顔を強調するだけでなく、ポップでかわいらしく明るく楽しい気持ちになれるように演出することが可能となる。
【００９３】
また、顔画像を通常の顔の大きさよりも大きくすることでインパクトのある立体画像の作成が可能となる。
【００９４】
なお、本実施例では、振り子装置を設けた構成を詳述するものであるが、必ずしも振り子装置を設ける必要性は無い。
【００９５】
しかし、対象者の顔を振るという動作を取り入れることが可能となることで、より顔を強調するだけでなく、ポップでかわいらしく明るく楽しい気持ちになれるように演出することができるために振り子装置を設けることが望ましい。
【００９６】
＜第３の実施の形態＞
図１０は本発明を適用した立体画像額縁の更に他の例を説明するための立体模式図、図１１は本発明を適用した立体画像額縁における立体画像部の更に他の例を説明するための立体模式図、図１２は図１１Ａ−Ａ´線における断面図を説明するための断面模式図、図１３は図１１Ｂ−Ｂ´線における断面図を説明するための断面模式図である。
【００９７】
ここで示す立体画像額縁３０Ｂは、上端が開口状とされた枠体１２で形成される額縁本体１１内に立体画像部１Ｂが収納されると共に、この額縁本体１１の開口縁が透明板１６で閉塞された構成とされている。
【００９８】
ここで立体画像部１Ｂは、基板部２と、この基板部２上に背景画像として配置された背景画像表示板部３と、この背景画像表示板部３、あるいは基板部２上に配置された支持部４上に設置された画像表示板部５Ｂから構成されている。
【００９９】
また、基板部２は、額縁本体１１の内面積に相当する大きさとし、紙と紙との間に発泡スチロールを挟んだ構成とされている。
【０１００】
また、背景画像表示板部３は、基板部２と同様に、紙と紙との間に発泡スチロールを挟んだボードに、建物等の背景となる部分を写真用紙で印刷して貼着された構成とされている。
【０１０１】
また、支持部４は板状の発泡スチロールを積層して任意高さとし、基板部２、あるいは背景画像表示板部３上に配置された構成とされている。
【０１０２】
また、画像表示板部５Ｂは、例えば人物の顔となる部分を写真用紙で印刷した顔表示部６と体となる部分を印刷した体表示部７とから構成されている。
【０１０３】
ここで、顔表示部６は体表示部７の大きさに比べて大きな割合（通常よりも４〜５倍）に形成されている。この様な組み合せとした２人の人物画像の画像表示板部５Ｂが背景画像表示板部３の手前側に並んだ状態で配置されている。
【０１０４】
また、体表示部６は背景画像表示板部３に立設される支持部４上に、背景画像を背にして立った状態（手前側）で取付けられている。
【０１０５】
そして、顔表示部６が体表示部７の前側の位置となるように、体表示部７が取付けられる支持部４よりも高くした支持部４上に取付けられている。
【０１０６】
このように、顔表示部６を大きな割合とすると共に、体表示部７の前側の位置とすることで対象者の顔を強調することが可能となる。
【０１０７】
また、背景画像表示板部３以外の領域である基板部２の略中央上には、顔表示部６が取付けられる支持部４と略同高さとした支持部４が配置されている。
【０１０８】
更に、この支持部４上に、例えば「Ｗｅｌｃｏｍｅ」等の文字が表示された文字表示部８が取付けられている。
【０１０９】
また、文字表示部８の下側（手前側）には、文字表示部８が取付けられる支持部４よりも低くした支持部４が配置され、この支持部４上に日付が表示された日付表示部９が取付けられている。
【０１１０】
このように、文字表示部８及び日付表示部９を画像表示板部５Ｂの奥側、かつ背景画像表示板部３以外の領域に配置することで、立体感を演出することが可能となる。
【０１１１】
また、背景画像表示板部３上の下側（手前側）には、体表示部７が取付けられる支持部４よりも低くした支持部４上に、名前が表示された名前表示部１０が取付けられている。
【０１１２】
また、背景画像表示板部３以外の領域である基板部２の文字表示部８と並んだ位置に時計２３が配置されている。この時計２３は、基板部２の下部に駆動部２４が設置され、基板部２に貫通穴２５が穿孔されている。
【０１１３】
そして、貫通穴２５に駆動部２４の軸部２６が貫通され、この軸部２６の先端に時分を指す針部２７が取付けられている。
【０１１４】
なお、駆動部２４の駆動源としては電池、あるいは太陽電池（図示せず。）等の電源で駆動する構成とすることが望ましい。
【０１１５】
このような構成とされる立体画像部１Ｂは、図１０に示すように、額縁本体１１内に収納される。
【０１１６】
また、額縁本体１１は、前記第１の実施の形態の図５及び図６において詳述した構成とされている。
【０１１７】
また、立体画像部の作業手順は、前記＜第１の実施の形態＞で詳述したように、手順２〜手順５で作成した背景画像表示板部、顔表示部、体表示部、文字表示部、日付表示部及び名前表示部を両面テープや接着剤等を使用して額縁本体内に収まるようにして組み立てる。
【０１１８】
以上の構成の立体画像額縁では、背景画像の手前側に体表示部と顔表示部から構成される画像表示板部を配置し、更に、顔表示部を体表示部より手前側に配置する。これにより、奥行き感を出すことができ、例えば、あたかも建物等の前に立っているような立体感、浮遊感を演出することが可能となる。
【０１１９】
また、本発明では背景画像、顔画像及び体画像、文字画像等がそれぞれ独立している。これにより、例えば、背景画像や文字画像、あるいはいろいろな衣裳を纏った体画像を多数揃えておくことで、依頼者は自由に背景画像、体画像及び文字画像等を選択することが可能となる。
【０１２０】
従って、依頼者は顔写真を提供することで、実際に建物等の背景を背に写真を取ることがなく、さまざまな風景や建物等の背景、あるいは衣裳を纏った個性のある立体画像を演出することが可能となる。
【０１２１】
更に、立体画像部に時計を設けることにより、立体画像額縁として、あるいは時計として玄関やリビング等に飾ることが可能となる。
【０１２２】
また、顔画像を通常の顔の大きさよりも大きくすることでインパクトのある立体画像の作成が可能となる。
【０１２３】
なお、本実施例では、立体画像部に時計を設けた構成を詳述するものであるが、必ずしも時計を設ける必要性は無い。
【０１２４】
しかし、時計を設けることで高級感が増し、立体画像額縁として、あるいは時計として玄関やリビング等に飾ることが可能となることから時計を設けることが望ましい。
【０１２５】
また、前記＜第１の実施の形態＞、＜第２の実施の形態＞及び＜第３の実施の形態＞において詳述した画像表示板部は、必ずしも人物画像を表示する必要性はない。
【０１２６】
例えば、犬、猫等のペット、あるいは草花等、立体画像額縁の依頼者が最も演出した対象物であれば、いかなるものであっても構わない。
【０１２７】
また、前記＜第１の実施の形態＞、＜第２の実施の形態＞及び＜第３の実施の形態＞において詳述した各種画像は、必ずしも紙と紙との間に発泡スチロールのボードに貼る必要性はない。
【０１２８】
例えば、ダンボールや木材などいかなる素材のボードであっても構わないが、軽量、かつ任意の形状に切断し易い発泡スチロールのボードが望ましい。
【０１２９】
また、前記＜第２の実施の形態＞では振り子装置を備えた立体画像部と、＜第３の実施の形態＞では時計を備えた立体画像部について詳述するものであるが、必ずしも別々に備える必要性はない。例えば、振り子装置と時計を備えた立体画像部であっても構わない。
【符号の説明】
【０１３０】
１、１Ａ、１Ｂ  立体画像部
２              基板部
３              背景画像表示板部
４              支持部
５、５Ａ、５Ｂ  画像表示板部
６              顔表示部
７              体表示部
８              文字表示部
９              日付表示部
１０            名前表示部
１１            額縁本体
１２            枠体
１３            裏板
１４            厚み調整板
１５            透明板支持部
１６            透明板
１７            透明板係留部
１８            内側面
２０            振り子装置
２１            首振り板
２３            時計
２４            駆動部
２５            貫通穴
２６            軸部
２７            針部
３０、３０Ａ、３０Ｂ  立体画像額縁
【図１】
2013158480.tif 000003
【図２】
2013158480.tif 000004
【図３】
2013158480.tif 000005
【図４】
2013158480.tif 000006
【図５】
2013158480.tif 000007
【図６】
2013158480.tif 000008
【図７】
2013158480.tif 000009
【図８】
2013158480.tif 000010
【図９】
2013158480.tif 000011
【図１０】
2013158480.tif 000012
【図１１】
2013158480.tif 000013
【図１２】
2013158480.tif 000014
【図１３】
2013158480.tif 000015
【図１４】
2013158480.tif 000016